(57)【要約】      （修正有）【課題】スチ−ル製脚をもつ木製テ−ブルで、全体の雰囲気で意外性、野性的にした略鳥居状角型スチールの脚部にして、装飾性板を使用した天板に直付けた木製テ−ブルを提供する。【解決手段】天板２と略鳥居状角型スチールの脚部１からなるテーブルにおいて、天板２は無垢板材の種々の材質、色彩のものを横配列に接合したものであって、長方形体、正方形体、多角形体、円形体であり、略鳥居状角型スチールの脚部１は、幅３０〜５０ｍｍのスチール製の角材で、正方形の形状体で、一端の天面部に強度補強に鳥居状の二重枠体になって、他端に下枠を持たない脚部になっており、略鳥居状角型スチールの脚部１の天面と側面に固定穴を設けて、略鳥居状角型スチールの脚部１の天面、又は側面にテーブルの天板２を付けた。【選択図】図１
0003215914.tif 000002
【実用新案登録請求の範囲】
【請求項１】
天板と略鳥居状角型スチールの脚部からなるテーブルにおいて、天板は無垢板材の種々の材質、色彩のものを横配列に接合したものであって、長方形体、正方形体、多角形体、円形体であり、略鳥居状角型スチールの脚部は、幅３０〜５０ｍｍのスチール製の角材で、正方形の形状体で、一端の天面部に強度補強に鳥居状の二重枠体になって、他端に下枠を持たない脚部になっており、略鳥居状角型スチールの脚部の天面と側面の２〜４箇所に固定穴を設けて、前記の略鳥居状角型スチールの脚部の天面、又は側面をテーブルの天板を付けたテーブルであって、略鳥居状角型スチールの脚部をテーブルの両端に天面と側面に取り付けられて、種々の脚体になったテーブルであることを特徴とする鳥居型角状スチールの脚部を持つ機能性テーブル。
【請求項２】
前記脚部は、中心部の脚本体としてスチール製の３０〜５０ｍｍ幅、５００〜９００ｍｍ長さの角材からなる略鳥居状角型スチールの脚部は、四本の脚を天面に対してすべて垂直にして、天面部に強度補強のために鳥居状の二重枠体の枠間隔を１００〜２００ｍｍにして、天面上部に等間隔に２〜４箇所と各脚では天面から２００〜３００ｍｍの間隔の２〜４箇所にそれぞれビス止めできる穴部を設けて、前記略鳥居状角型スチールの脚部を縦、横方向で自由に脚部として使用できるようにしていることを特徴とする請求項１に記載の鳥居型角状スチールの脚部を持つ機能性テーブル。
【請求項３】
前記略鳥居状角型スチールの脚部に使用する天板は、厚さ１０〜４０ｍｍ、幅１０〜３００ｍｍ、長さ９００〜２５００ｍｍの無垢板を横に配列して接合をしたものを、接合板を正方形、長方形加工して製作して、横５００〜１２００ｍｍ、縦９００〜２５００ｍｍにした無垢板、又は合成木材であり、無垢板の場合には木質、色彩の異なったものを交互、ランダム配列して、意外性、装飾性を高めたものになるように、比重の高いウォールナット、チーク、ローズウッド、チェリー、パイン、オーク、モンキーポット、アルダー、ピーチから選ばれた材料であって、合成木材の場合には表面に特殊木材の突板での装飾材を張っており、これらの天板が長さでテーブル台として伸縮できるようになっていることを特徴とする請求項１、又は請求項２に記載の鳥居型角状スチールの脚部を持つ機能性テーブル。
【考案の詳細な説明】
【技術分野】
【０００１】本考案はスチ−ル製脚をもつ木製テ−ブル台であるが、脚部を自由に取り付けることができる鳥居型角状スチールの脚にして、スチール製脚部材と無垢板を使用した天板に直付けした鳥居型角状スチールの脚部を持つ機能性テーブルに関するものである。
【背景技術】
【０００２】従来、スチ−ル製天板を持つテ−ブルでは、脚部材を取付けるために矩形枠状をなすフレ−ムを天板の下面に設けることが必須の要件であった。【０００３】一般にスチ−ル製天板は、スチ−ル板をプレス等により曲げ加工して外見上の厚みを形成するが、内部が中空であるため、縦荷重は勿論のこと、横荷重も受ける脚部材を高い強度で天板に取付けることが困難である。このため上記のような天板と脚部材とを強固に結合する仲介部材として、天板下面に矩形枠状をなすフレ−ムが必要であったのである。この点は、中空のスチ−ル製天板部材の内部にハニカムコア材や発泡材を充填した天板、或は、型材等の強度メンバを内装した天板においても同様である。これは充填材や強度メンバには、脚の取付けるに足りる強度が与えられていないか、或は、そのような強度が得られないからである。【０００４】金属板により内部が中空で薄手の天板外皮を形成すると共に、該中空外皮の内部に、補強材と脚取付座部を設けて発泡体又はハニカムコア材による充填材を詰めて成る天板に、該天板の下面から前記脚取付座部に結合される脚支持プレ−トを有する脚を、その支持プレ−トにより取付けたスチ−ル製テ−ブルが提案されている（特許文献１参照）。【０００５】  中央部とその周囲に配置した５本のスチールパイプ製の支柱から成る脚部と、この脚部の上部に嵌縮可能に接続させた角部に補強板を取り付けた継手と、この継手同志を接続させる同じくスチールパイプ製の枠材と、前記各支柱及び前記各枠材を前記継手へ固定させる固定手段と、前記枠材の上面に固定させた卓板とで構成し、脚部はその下端部同志を固定部材で互いに連結固定させることができるスチールテーブルが提案されている（特許文献２参照）。【０００６】脚部を１本としてテーブルの側方からの着座を容易にすると共に、不使用時には脚柱をロック装置に干渉しないように折畳むことができる高さ調節可能な折畳み式テーブルにおいて、脚柱と天板裏面の枢着個所に、天板裏面からロック装置の高さを超えた所定長さＬだけ離間した位置に折畳み用ヒンジの枢軸と、支承部を設けて折畳み時の脚柱がロック装置と干渉せずに天板に略水平に折畳めるようにし、ステーの横幅を脚部の横幅以内にして折畳み時にステーが脚部に覆われて保護されるようにしたテーブルが提案されている（特許文献３参照）。【０００７】椅子の座面すべてを使用可能とすると共に、特にテーブル本体中央部でのテーブル強度を強化した折り畳み自在な野外テーブルを提供することに、内部に椅子を折り畳んで収納を可能とする一対のケース状のテーブル板の一側縁を開閉自在に連結したテーブル本体と、脚部を折り畳み自在とした椅子とを連結部材を介して連結してなる折り畳み自在な野外テーブルにおいて、テーブル本体と椅子とを連結する連結部材の一端を座面のテーブル側に近接する部分に設けられた連結部に連結し、椅子の座面全体を利用可能としたものが提案されている（特許文献４参照）。【０００８】天板を支持する左右の脚部に、天板下面に沿って横設した連動シャフトによって互いに同調して前記天板の高さを調節可能な昇降機構を内蔵してなる昇降テーブルであって、前記天板の下面横方向に形成した凹溝内にチャンネル部材を取���け、該チャンネル部材に前記連動シャフトを収容して、前記チャンネル部材は、スチール製で断面コ字形の収容部の両側に沿って固定部を有し、該チャンネル部材を、前記凹溝内に収容部を嵌合するとともに、両固定部を天板下面に固定手段にて取付けることにより装着し、前記連動シャフトを収容した該収容部に上方開放した断面コ字形のスチール製のカバー部材を天板下面から突出しないように装着したテーブルが提案されている（特許文献５参照）。【０００９】ところで、天板の下面にその下面から突出してフレ−ムが設けられていると、該テ−ブルの天板下面から床面までの有効距離が、天板下面にフレ−ムが出張って設けられていることにより小さくなり、これによって、例えば、肘掛付きの椅子がその肘掛けが前記フレ−ムに当るためテ−ブルの下に入らなかったり、車椅子がテ−ブルの天板下面まで乗入れられないことがあるという問題がある。一般に屋外、野外のテーブルとしては、ステンレススチールが使用されているが、室内では非常に少ない。室内の装飾性、デザイン性をもたらせるテーブルとして感覚をもたらせるテーブルについては、全く存在していない。【００１０】上記の問題点は、テ−ブルのスチール製脚の装飾性を高めるために、外見上解決するように見えるが、テ−ブルの天板に天然的、自然的に加工されたものにして、テ−ブルのスチール製脚を脚にして鳥居型角状スチールの脚部を持つ機能性テーブルに仕上げたものによって、実質上の解決手段にしたい。
【先行技術文献】
【特許文献】
【００１１】
【特許文献１】特開平９−３５４号公報
【特許文献２】特開平８−２２８８４４号公報
【特許文献３】特開２００２−３３０８２７号公報
【特許文献４】特開２００２−２５３３４７号公報
【特許文献５】特許第３６０１３７８号公報
【考案の概要】
【考案が解決しようとする課題】
【００１２】本考案は上記のような点に鑑み、室内で機能的、意匠的感覚を齎せるテーブルの天板、脚を検討されているが、利用便利なテーブルで価格、耐久性などで問題を生じている。天板下面から床面までの脚に鳥居型角状スチールの脚部を持つ機能性テーブルも期待されている。また角型スチールを使用して脚のフレ−ムを種々変更して使用できる脚変更型テ−ブルを提供することも課題になっている。【００１３】一般に屋外、室内のテーブルとしては、ステンレススチールが使用されているが、室内に設置して以前にない雰囲気の状態の中で、テーブルの家具を使用する場合には。室内の装飾性、デザイン性、異色性感覚をもたらせるリビングの家具としたテーブルの脚部分に鳥居型角状スチールの脚部を使用したテーブルはない。とくに室内での鳥居型角状スチールの脚部を使用したテーブルのスチール脚の取り付け位置を変更することによって、意匠的と機能的な感覚を変えて気分的に良好的な脚組姿勢をもたらせるテーブルについては、全く存在していない。【００１４】上記の問題点は、テ−ブルのスチール製脚の装飾性、意外性を高めるために、外見上解決するように見えるが、テ−ブルの天板と脚状態の変更によって天然的、自然的、野性的に細工されたものにして、テ−ブルのスチール製脚を種々変更の形状にした脚を持つテーブルに仕上げることである。これによって椅子での着席状態でリラックスできる姿勢をもたらせることも望まれている。
【課題を解決するための手段】
【００１５】天板と略鳥居状角型スチールの脚部からなるテーブルにおいて、天板は無垢板材の種々の材質、色彩のものを横配列に接合したものであって、長方形体、正方形体、多角形体、円形体であり、略鳥居状角型スチールの脚部は、幅３０〜５０ｍｍのスチール製の角材で、正方形の形状体で、一端の天面部に強度補強に鳥居状の二重枠体になって、他端に下枠を持たない脚部になっており、略鳥居状角型スチールの脚部の天面と側面の２〜４箇所に固定穴を設けて、前記の略鳥居状角型スチールの脚部の天面、又は側面をテーブルの天板を付けたテーブルであって、略鳥居状角型スチールの脚部をテーブルの両端に天面と側面に取り付けられて、種々の脚体になったテーブルである鳥居型角状スチールの脚部を持つ機能性テーブルである。【００１６】前記脚部は、中心部の脚本体としてスチール製の３０〜５０ｍｍ幅、５００〜９００ｍｍ長さの角材からなる略鳥居状角型スチールの脚部は、四本の脚を天面に対してすべて垂直にして、天面部に強度補強のために鳥居状の二重枠体の枠間隔を１００〜２００ｍｍにして、天面上部に等間隔に２〜４箇所と各脚では天面から２００〜３００ｍｍの間隔の２〜４箇所にそれぞれビス止めできる穴部を設けて、前記略鳥居状角型スチールの脚部を縦、横方向で自由に脚部として使用できるようにしている。【００１７】前記略鳥居状角型スチールの脚部に使用する天板は、厚さ１０〜４０ｍｍ、幅１０〜３００ｍｍ、長さ９００〜２５００ｍｍの無垢板を横に配列して接合をしたものを、接合板を正方形、長方形加工して製作して、横５００〜１２００ｍｍ、縦９００〜２５００ｍｍにした無垢板、又は合成木材であり、無垢板の場合には木質、色彩の異なったものを交互、ランダム配列して、意外性、装飾性を高めたものになるように、比重の高いウォールナット、チーク、ローズウッド、チェリー、パイン、オーク、モンキーポット、アルダー、ピーチから選ばれた材料であって、合成木材の場合には表面に特殊木材の突板での装飾材を張っており、これらの天板が長さでテーブル台として伸縮できるようになっている。
【考案の効果】
【００１８】一般に室内のテーブルの家具を使用する場合には、室内の装飾性、デザイン性、異色性の感覚をもたらせるリビングの家具としたテーブルの脚部分が特徴をもたらせる。本考案の鳥居型角状スチールの脚部を使用したテーブルは意匠的と機能的な感覚を変えて気分的に良好的な脚組姿勢をもたらせる。とくに室内での鳥居型角状スチールの脚部を使用したテーブルのスチール脚の取り付け位置を変更することによって、テーブルの意匠性、意外性を大きく変えることができる。【００１９】テ−ブルのスチール製脚の装飾性、意外性を高めるために、外見上解決するように見えるが、テ−ブルの天板と脚状態の変更によって天然的、自然的、野性的に細工されたものにして、テ−ブルのスチール製脚の取り付け形態を種々変更した脚を持つテーブルによって、椅子での着席状態で身体のリラックス性を大きく変えて、自然体できる姿勢をもたらせる。
【図面の簡単な説明】
【００２０】
【図１】鳥居型角状スチールの脚部を持つ機能性テーブルの斜視図
【図２】鳥居型角状スチールの脚部を持つ機能性テーブルにおける脚部の取り付け状態斜視図  Ａ：横―異方向  Ｂ：横―同方向
【図３】鳥居型角状スチールの脚部のテーブル台への取り付け状態図  Ａ：脚部の縦取り付け  Ｂ：脚部の横取り付け
【図４】鳥居型角状スチールの脚部を持つ機能性テーブルにおける天板の図  Ａ：異種類の無垢板の接合天板  Ｂ：異種類の無垢板の接合天板
【図５】鳥居型角状スチールの脚部を持つ機能性テーブルを使用している状態図
【考案を実施するための形態】
【００２１】本考案テ−ブルの実施例について、図に拠り説明する。図は本考案テ−ブルの一例を示すもので、図１は鳥居型角状スチールの脚部を持つ機能性テーブルの斜視図、図２は、鳥居型角状スチールの脚部を持つ機能性テーブルの脚部他の状態の図、
図３は、鳥居型角状スチールの脚部を持つ機能性テーブルにおける脚部の取り付けの図、
図４は、鳥居型角状スチールの脚部を持つ機能性テーブルの脚部の天板の図、
図５は、鳥居型角状スチールの脚部を持つ機能性テーブルを使用している状態図である。
【００２２】スチ−ル製脚をもつ木製テ−ブル台であるが、脚部を自由に取り付けることができる鳥居型角状スチールの脚にして、スチール製脚部材と無垢板を使用した天板に直付けした鳥居型角状スチールの脚部を持つ機能性テーブルになる。
【実施例１】
【００２３】図１に示すように天板と略鳥居状角型スチールの脚部からなるテーブルにおいて、天板は無垢板材の種々の材質、色彩のものを横配列に接合したものであって、長方形体であり、略鳥居状角型スチールの脚部は、幅３２ｍｍのスチール製の角材で、正方形の形状体で、一端の天面部に強度補強に鳥居状の二重枠体になって、他端に下枠を持たない脚部になっており、略鳥居状角型スチールの脚部の天面と側面の３箇所に固定穴を設けて、前記の略鳥居状角型スチールの脚部の天面、又は側面をテーブルの天板を付けたテーブルであって、略鳥居状角型スチールの脚部の天面と側面のテーブルの両端取り付けた。【００２４】前記略鳥居状角型スチールの脚部の上に使用する天板は、厚さ２５ｍｍ、幅１６０ｍｍ、長さ１４００ｍｍの無垢板を横に配列して接合をしたものを、接合板を長方形加工して製作して、横８００ｍｍ、縦１４００ｍｍにした無垢板、であり、木質、色彩の異なったものを交互、ランダム配列して、意外性、装飾性を高めたものになるように、比重の高いウォールナット、ホワイトオーク、の材料にして、これらの天板が長さでテーブル台とした。【００２５】前記脚部は、中心部の脚本体としてスチール製の３２ｍｍ幅、６７０ｍｍ長さの角材からなる略鳥居状角型スチールの脚部は、四本の脚を天面に対してすべて垂直にして、天面部に強度補強のために鳥居状の二重枠体の枠間隔を２００ｍｍにして、天面上部に等間隔に３箇所と各脚では天面から１１０ｍｍの間隔の３箇所にそれぞれビス止めできる穴部を設けて、前記略鳥居状角型スチールの脚部を縦方向と、横方向脚部として使用できるようにした。このスチール脚の２脚を同一方向で横にして、上記のテーブルの天板を固着した。図３のＡとＢのように天板と脚部をボルトで取り付けた。使用状態としては図５のように人が使用してもテーブルの脚部に膝が当たらず、気持ちよく座ることができた。
【実施例２】
【００２６】実施例１と同様にテーブル天板と２本脚を製作した。図２Ｂに示すようにこのスチール脚の２脚を横で同一方向に取り付けて、上記のテーブルの天板を固着した。他方では脚体は存在しなく、広く使用できるようになった。使用状態としては図５のように人が使用してもテーブルの脚部に膝が当たらず、気持ちよく座ることができた。
【実施例３】
【００２７】天板と略鳥居状角型スチールの脚部からなるテーブルにおいて、天板は無垢板材の種々の材質、色彩のものを横配列に接合したものであって、長方形体、正方形体、多角形体、円形体であり、略鳥居状角型スチールの脚部は、幅４０ｍｍのスチール製の角材で、正方形の形状体で、一端の天面部に強度補強に鳥居状の二重枠体になって、他端に下枠を持たない脚部になっており、略鳥居状角型スチールの脚部の天面と側面の３箇所に固定穴を設けて、前記の略鳥居状角型スチールの脚部の天面、又は側面をテーブルの天板を付けたテーブルであって、略鳥居状角型スチールの脚部を天面と側面にテーブルの両端に取り付けた。【００２８】前記脚部は、中心部の脚本体としてスチール製の４０ｍｍ幅、６００ｍｍ長さの角材からなる略鳥居状角型スチールの脚部は、四本の脚を天面に対してすベて垂直にして、天面部に強度補強のために鳥居状の二重枠体の枠間隔を１５０ｍｍにして、天面上部に等間隔に３箇所と各脚では天面から２４０ｍｍの間隔の３箇所にそれぞれボルト止めできる穴部を設けて、前記略鳥居状角型スチールの脚部を縦、横方向で脚部として使用した。【００２９】前記略鳥居状角型スチールの脚部に使用する天板は、厚さ３０ｍｍ、幅１００ｍｍ、長さ１８００ｍｍの無垢板を横に配列して接合をしたものを、接合板を長方形加工して製作して、横８５０ｍｍ、縦１８００ｍｍにした無垢板であり、無垢板の場合には木質、色彩の異なったものを交互、ランダム配列して、意外性、装飾性を高めたものになるように、ウォールナット、オーク、モンキーポット、アルダー、から選ばれた材料であって、合成木材の場合には表面に特殊木材の突板での装飾材を張っており、これらの天板が長さでテーブル台として伸縮できるようになった。このスチール脚の２脚を同一方向で横にして、上記のテーブルの天板を固着した。図３のＡとＢのように天板と脚部をボルトで取り付けた。使用状態としては図５のように人が使用してもテーブルの脚部に膝が当たらず、気持ちよく座ることができた。
【符号の説明】
【００３０】１．略鳥居状角型スチールの脚部
２．天板（テーブル台）
３．無垢板
４．合成木材
５．脚本体
６．止めネジ
７．略鳥居状角型
８．穴部
９．人
１０．アジャスト
１１．キャップ
１２．木目
【図１】
0003215914.tif 000003
【図２】
0003215914.tif 000004
【図３】
0003215914.tif 000005
【図４】
0003215914.tif 000006
【図５】
0003215914.tif 000007
【手続補正書】
【提出日】平成30年1月29日(2018.1.29)
【手続補正１】
【補正対象書類名】実用新案登録請求の範囲
【補正対象項目名】全文
【補正方法】変更
【補正の内容】
【実用新案登録請求の範囲】
【請求項１】
天板と略鳥居状角型スチールの脚部からなるテーブルにおいて、天板は無垢板材の種々の材質、色彩のものを横配列に接合したものであって、長方形体、正方形体、多角形体、円形体であり、略鳥居状角型スチールの脚部は、幅３０〜５０ｍｍのスチール製の角材で、正方形の形状体で、一端の天面部に強度補強に鳥居状の二重枠体になって、他端に下枠を持たない脚部になっており、略鳥居状角型スチールの脚部の天面と側面の２〜４箇所に固定穴を設けて、前記の略鳥居状角型スチールの脚部の天面、又は側面をテーブルの天板を付けたテーブルであって、略鳥居状角型スチールの脚部をテーブルの両端に天面と側面に取り付けられて、種々の脚体になったテーブルであることを特徴とする鳥居型角状スチールの脚部を持つ機能性テーブル。
【請求項２】
前記脚部は、中心部の脚本体としてスチール製の３０〜５０ｍｍ幅、５００〜９００ｍｍ長さの角材からなる略鳥居状角型スチールの脚部は、四本の脚を天面に対してすべて垂直にして、天面部に強度補強のために鳥居状の二重枠体の枠間隔を１００〜２００ｍｍにして、天面上部に等間隔に２〜４箇所と各脚では天面から２００〜３００ｍｍの間隔の２〜４箇所にそれぞれビス止めできる穴部を設けて、前記略鳥居状角型スチールの脚部を縦、横方向で自由に脚部として使用できるようにしていることを特徴とする請求項１に記載の鳥居型角状スチールの脚部を持つ機能性テーブル。
【請求項３】
前記略鳥居状角型スチールの脚部に使用する天板は、厚さ１０〜４０ｍｍ、幅１０〜３００ｍｍ、長さ９００〜２５００ｍｍの無垢板を横に配列して接合をしたものを、接合板を正方形、長方形加工して製作して、横５００〜１２００ｍｍ、縦９００〜２５００ｍｍにした無垢板、又は合成木材であり、無垢板の場合には木質、色彩の異なったものを交互、ランダム配列して、意外性、装飾性を高めたものになるように、比重の高いウォールナット、チーク、ローズウッド、チェリー、パイン、オーク、モンキーポット、アルダー、ピーチから選ばれた材料であって、合成木材の場合には表面に前記木材の突板での装飾材を張っていることを特徴とする請求項１、又は請求項２に記載の鳥居型角状スチールの脚部を持つ機能性テーブル。